(57)【要約】【課題】接続部を有する電線・ケーブルを延線する際に、接続部に負荷を掛けることなく、スムーズに延線することが可能な延線用治具、電線・ケーブル及び電線・ケーブルの延線方法を提供する。【解決手段】接続部１３を介して第２の電線・ケーブル１２と接続されている第１の電線・ケーブル１１を第２の電線・ケーブル１２側に引っ張って延線する際に用いられる延線用治具１は、第１の電線・ケーブル１１に取り付けられる中間引き型ケーブルグリップ２と、中間引き型ケーブルグリップ２に取り付けられ、第２の電線・ケーブル１２側に延びるように配置された牽引具３と、牽引具３に固定され、少なくとも第２の電線・ケーブ１２ルの先端Ａ又は先端Ａの近傍の部分を保持する保持具４と、を備える。【選択図】図２
2020188621.tif 000002
【特許請求の範囲】
【請求項１】
接続部を介して第２の電線・ケーブルと接続されている第１の電線・ケーブルを前記第２の電線・ケーブル側に引っ張って延線する際に用いられる延線用治具において、
前記第１の電線・ケーブルに取り付けられる中間引き型ケーブルグリップと、
前記中間引き型ケーブルグリップに取り付けられ、前記第２の電線・ケーブル側に延びるように配置された牽引具と、
前記牽引具に固定され、少なくとも前記第２の電線・ケーブルの先端又は先端の近傍の部分を保持する保持具と、
を備えることを特徴とする延線用治具。
【請求項２】
前記牽引具は、延線用ロープであることを特徴とする請求項１に記載の延線用治具。
【請求項３】
前記保持具は、前記第２の電線・ケーブルが挿通される筒状部材を有しており、
前記筒状部材が、少なくとも前記第２の電線・ケーブルの先端側の１か所で前記牽引具に固定されており、かつ、前記牽引具に沿うように配設されていることを特徴とする請求項１又は請求項２に記載の延線用治具。
【請求項４】
前記筒状部材は、可撓性を有していることを特徴とする請求項３に記載の延線用治具。
【請求項５】
前記筒状部材は、先端側が半球状、半長球状又は略錐体状に閉塞されており、
前記第２の電線・ケーブルの先端が前記筒状部材内に収容されることを特徴とする請求項３又は請求項４に記載の延線用治具。
【請求項６】
前記筒状部材に、前記牽引具を前記第２の電線・ケーブルの中心に向かう方向に引き寄せて固定する固定具が設けられていることを特徴とする請求項３から請求項５のいずれか一項に記載の延線用治具。
【請求項７】
前記保持具は、前記第２の電線・ケーブルが挿通される単数又は複数のリング部材で構成されていることを特徴とする請求項１から請求項６のいずれか一項に記載の延線用治具。
【請求項８】
請求項１から請求項７のいずれか一項に記載された延線用治具が取り付けられた電線・ケーブル。
【請求項９】
第１の電線・ケーブルと第２の電線・ケーブルとが接続部を介して接続されて形成された電線・ケーブルの延線方法において、
前記第１の電線・ケーブルに中間引き型ケーブルグリップを取り付け、
牽引具に固定された保持具で、少なくとも前記第２の電線・ケーブルの先端又は先端の近傍の部分を保持し、
前記牽引具を前記中間引き型ケーブルグリップに取り付けて延線用治具を形成し、
前記牽引具を牽引して前記第１の電線・ケーブルを前記第２の電線・ケーブル側に引っ張ることで前記電線・ケーブルを延線する
ことを特徴とする電線・ケーブルの延線方法。
【発明の詳細な説明】
【技術分野】
【０００１】
本発明は、延線用治具、電線・ケーブル及び電線・ケーブルの延線方法に関する。
【背景技術】
【０００２】
電線・ケーブルを管路やラック等に延線する際には、ケーブルグリップが広く使用されている。ケーブルグリップは、細いワイヤロープを筒状に編み込んだもので、これを電線・ケーブルに被せて長手方向に引っ張ると、ケーブルグリップが電線・ケーブルを締め付けるように収縮して強力に把持する状態になる。
そのため、ケーブルグリップを電線・ケーブルに被せて長手方向に引っ張ることで電線・ケーブルを牽引して延線することができる。
【０００３】
ケーブルグリップは、例えば特許文献１〜３に記載されているように、電線・ケーブルの先端部分に取り付けるものもあるが、電線・ケーブルの先端に取り付けることができない場合や、電線・ケーブルが長い場合などには、図７に示すような先端が開放された中間引き型ケーブルグリップが使用される場合もある。
中間引き型ケーブルグリップ２０は、ワイヤネット２１と複数の引手部２２とを備えて構成されており、引手部２２を引っ張るとワイヤネット２１が収縮して電線・ケーブル１０を締め付けるため、電線・ケーブル１０を牽引して延線することができる。
【０００４】
一方、電線・ケーブル１０は、図８に示すように、第１の電線・ケーブル１１（例えばアルミ導体の主線ケーブル等）と第２の電線・ケーブル１２（例えば銅導体の補線ケーブル等）とが接続部１３を介して接続されて形成されている場合がある（特許文献４等参照）。
そして、例えば電線・ケーブル１０を図中左側に引っ張って延線する場合、第２の電線・ケーブル１２を図中左側に引っ張ると、接続部１３に負荷が掛かり接続部１３での接続が破壊されてしまい導通不良になる可能性がある。そのため、このような場合には、第１の電線・ケーブル１１を第２の電線・ケーブル側１２に引っ張ることで電線・ケーブル１０を延線することになっている。
【先行技術文献】
【特許文献】
【０００５】
【特許文献１】実開昭６０−１３５０１３号公報
【特許文献２】特開平１０−２８５７７６号公報
【特許文献３】特開２０１８−７４６４５号公報
【特許文献４】特開２０１６−１６７３３５号公報
【発明の概要】
【発明が解決しようとする課題】
【０００６】
しかしながら、例えば図９に示すように、第１の電線・ケーブル１１に上記の中間引き型ケーブルグリップ２０を取り付け、中間引き型ケーブルグリップ２０に延線用ロープ３０を取り付けて引っ張って電線・ケーブル１０をラック１００上に延線する場合、第２の電線・ケーブル１２の先端Ａが自由に動くため、先端Ａがラック１００やラック１００上の他の設置物等（不図示）に引っ掛かり、スムーズに延線できないといった問題があった。
特に第２の電線・ケーブル１２に巻きぐせが残っていると、第２の電線・ケーブル１２の先端Ａが、図１０（Ａ）に示すようにラック１００等に引っ掛かったり、図１０（Ｂ）に示すようにラック１００の裏面側に潜り込んだりするため、延線をスムーズに行えなくなる。
【０００７】
また、図示を省略するが、例えば図９に示した状態から電線・ケーブル１０全体を下に引き出す場合、延線方向が図中左向きから下向きに変わるが、そのような場合には、ラック１００から引き出す箇所にケーブルローラーを取り付けてそれに延線用ロープ３０を掛けて下方に引っ張って延線する。ラック１００が曲がっていて、それに沿って延線する場合も同様である。
しかし、こうした場合、第２の電線・ケーブル１２の先端Ａはそのまま図中左向きに進んでしまうため、電線・ケーブル１０全体をラック１００に沿って引っ張ることができない。
【０００８】
そして、これを避けるために、例えば、第２の電線・ケーブル１２に延線用ロープ３０を巻き付けて下方に引っ張ると、第２の電線・ケーブル１２の先端Ａは延線用ロープ３０の動きに追従してラック１００に沿って移動するようになる。
しかし、第２の電線・ケーブル１２に張力が加わり、接続部１３に負荷が掛かってしまうことになる。
【０００９】
本発明は、上記の問題点を鑑みてなされたものであり、接続部を有する電線・ケーブルを延線する際に、接続部に負荷を掛けることなく、スムーズに延線することが可能な延線用治具、電線・ケーブル及び電線・ケーブルの延線方法を提供することを目的とする。
【課題を解決するための手段】
【００１０】
前記の問題を解決するために、請求項１に記載の発明は、
接続部を介して第２の電線・ケーブルと接続されている第１の電線・ケーブルを前記第２の電線・ケーブル側に引っ張って延線する際に用いられる延線用治具において、
前記第１の電線・ケーブルに取り付けられる中間引き型ケーブルグリップと、
前記中間引き型ケーブルグリップに取り付けられ、前記第２の電線・ケーブル側に延びるように配置された牽引具と、
前記牽引具に固定され、少なくとも前記第２の電線・ケーブルの先端又は先端の近傍の部分を保持する保持具と、
を備えることを特徴とする。
【００１１】
請求項２に記載の発明は、請求項１に記載の延線用治具において、前記牽引具は、延線用ロープであることを特徴とする。
【００１２】
請求項３に記載の発明は、請求項１又は請求項２に記載の延線用治具において、
前記保持具は、前記第２の電線・ケーブルが挿通される筒状部材を有しており、
前記筒状部材が、少なくとも前記第２の電線・ケーブルの先端側の１か所で前記牽引具に固定されており、かつ、前記牽引具に沿うように配設されていることを特徴とする。
【００１３】
請求項４に記載の発明は、請求項３に記載の延線用治具において、前記筒状部材は、可撓性を有していることを特徴とする。
【００１４】
請求項５に記載の発明は、請求項３又は請求項４に記載の延線用治具において、
前記筒状部材は、先端側が半球状、半長球状又は略錐体状に閉塞されており、
前記第２の電線・ケーブルの先端が前記筒状部材内に収容されることを特徴とする。
【００１５】
請求項６の記載の発明は、請求項３から請求項５のいずれか一項に記載の延線用治具において、前記筒状部材に、前記牽引具を前記第２の電線・ケーブルの中心に向かう方向に引き寄せて固定する固定具が設けられていることを特徴とする。
【００１６】
請求項７に記載の発明は、請求項１から請求項６のいずれか一項に記載の延線用治具において、前記保持具は、前記第２の電線・ケーブルが挿通される単数又は複数のリング部材で構成されていることを特徴とする。
【００１７】
請求項８に記載の発明は、電線・ケーブルにおいて、請求項１から請求項７のいずれか一項に記載された延線用治具が取り付けられていることを特徴とする。
【００１８】
請求項９に記載の発明は、
第１の電線・ケーブルと第２の電線・ケーブルとが接続部を介して接続されて形成された電線・ケーブルの延線方法において、
前記第１の電線・ケーブルに中間引き型ケーブルグリップを取り付け、
牽引具に固定された保持具で、少なくとも前記第２の電線・ケーブルの先端又は先端の近傍の部分を保持し、
前記牽引具を前記中間引き型ケーブルグリップに取り付けて延線用治具を形成し、
前記牽引具を牽引して前記第１の電線・ケーブルを前記第２の電線・ケーブル側に引っ張ることで前記電線・ケーブルを延線する
ことを特徴とする。
【発明の効果】
【００１９】
本発明によれば、接続部を有する電線・ケーブルを延線する際に、接続部に負荷を掛けることなく、スムーズに延線することが可能となる。
【図面の簡単な説明】
【００２０】
【図１】本実施形態に係る延線用治具の構成例１を表す斜視図である。
【図２】構成例１の延線用治具が取り付けられた電線・ケーブルを表す斜視図である。
【図３】（Ａ）、（Ｂ）構成例２の延線用治具が取り付けられた電線・ケーブルを表す斜視図である。
【図４】（Ａ）、（Ｂ）構成例３の延線用治具が取り付けられた電線・ケーブルのうち第２の電線・ケーブルの先端部分を表す斜視図である。
【図５】構成例４の延線用治具が取り付けられた電線・ケーブルのうち第２の電線・ケーブルの先端部分を表す斜視図である。
【図６】構成例５の延線用治具が取り付けられた電線・ケーブルを表す斜視図である。
【図７】中間引き型ケーブルグリップの構成を表す斜視図である。
【図８】第１の電線・ケーブルと第２の電線・ケーブルとが接続部を介して接続されて形成された電線・ケーブルの構成を表す図である。
【図９】第１の電線・ケーブルに中間引き型ケーブルグリップを取り付け、中間引き型ケーブルグリップに延線用ロープを取り付けた状態を表す斜視図である。
【図１０】第２の電線・ケーブルの先端が（Ａ）ラック等に引っ掛かった状態、（Ｂ）ラックの裏面側に潜り込んだ状態を表す斜視図である。
【発明を実施するための形態】
【００２１】
以下、図面を参照して、本発明に係る延線用治具、電線・ケーブル及び電線・ケーブルの延線方法について実施の形態を例示して説明する。ただし、以下に述べる実施形態には、本発明を実施するために技術的に好ましい種々の限定が付されているが、本発明の範囲を以下の実施形態や図示例に限定するものではない。
また、以下の各図では、電線・ケーブル１０が１本の電線・ケーブルで構成されている場合を示すが、電線・ケーブル１０は、例えば３本の電線・ケーブルを撚り合わせたものであってもよい。
【００２２】
本実施形態に係る延線用治具１は、接続部１３を介して第２の電線・ケーブル１２と接続されている第１の電線・ケーブル１１を第２の電線・ケーブル１２側に引っ張って延線する際に用いられる延線用治具であり、中間引き型ケーブルグリップ２と、牽引具３と、保持具４とを備えて構成されている。
本実施形態では、牽引具３は、延線用ロープで構成されており、以下、延線用ロープ３として説明するが、他の形態であってもよい。
以下、構成例をいくつか示して具体的に説明する。
【００２３】
［構成例１］
図１は、本実施形態に係る延線用治具の構成例１を表す斜視図であり、図２は、構成例１の延線用治具が取り付けられた電線・ケーブルを表す斜視図である。図２では、構成例１の延線用治具が取り付けられた電線・ケーブル１０がラック１００上に配置された状態が示されている。
【００２４】
延線用治具１の中間引き型ケーブルグリップ２は、図７に示した中間引き型ケーブルグリップ２０と同様に構成されており、電線・ケーブル１０の第１の電線・ケーブル１１に取り付けられる。
そして、中間引き型ケーブルグリップ２の引手部には、アイ金具５を介して延線用ロープ３（牽引具３）が取り付けられており、延線用ロープ３は、第２の電線・ケーブル１２側に延びるように配置されている。
また、延線用ロープ３には、少なくとも第２の電線・ケーブル１２の先端Ａ又は先端Ａの近傍の部分を保持する保持具４が固定されている。
【００２５】
構成例１では、保持具４は、第２の電線・ケーブル１２が挿通される筒状部材４１を有している。
筒状部材４１は、第２の電線・ケーブル１２の先端側の１か所で固定具４２により延線用ロープ３に固定されており、かつ、延線用ロープ３に沿うように（すなわち筒状部材４１の軸方向が延線用ロープ３の長手方法に略平行になるように）配設されている。
【００２６】
保持具４の筒状部材４１は、例えば円筒状に形成されており、その内径は、第２の電線・ケーブル１２の外径よりやや大きい径とされている。そのため、筒状部材４１に第２の電線・ケーブル１２を挿通させると、筒状部材４１と第２の電線・ケーブル１２との間に隙間ができるようになっている。
保持具４は、筒状部材４１に挿通された第２の電線・ケーブル１２の先端Ａの近傍の部分をこのような状態で保持するようになっている。
【００２７】
保持具４の筒状部材４１は、プラスチックや金属等で形成することが可能であり、特に材質に制限はない。また、保持具４の固定具４２は、筒状部材４１を延線用ロープ３に固定できるものであればよく、形態に制限はない。すなわち、専用の固定具を設けてもよく、また、筒状部材４１と延線用ロープ３に粘着テープを巻き付けて筒状部材４１を延線用ロープ３に固定するようにしてもよい（この場合は粘着テープが固定具４２になる。）。
なお、第２の電線・ケーブル１２の先端Ａには、先端Ａを保護するためのキャップ１４が取り付けられている。
【００２８】
以上のように構成すると、作業者が延線用ロープ３を引っ張って第２の電線・ケーブル１２側に電線・ケーブル１０を延線する際、作業者が延線用ロープ３を引っ張る力が第１の電線・ケーブル１１に加わる。
そのため、この構成例１によれば、第２の電線・ケーブル１２を引っ張らないため接続部１３に負荷を掛けることなく、電線・ケーブル１０を延線することが可能となる。
【００２９】
また、延線用ロープ３に固定された保持具４により第２の電線・ケーブル１２の先端Ａや先端Ａの近傍の部分が保持されているため、第２の電線・ケーブル１２の先端Ａが延線用ロープ３の動きに追従して移動する状態になる。
さらに、第２の電線・ケーブル１２に巻きぐせが残っていても、第２の電線・ケーブル１２の先端Ａが保持具４に保持されているため、第２の電線・ケーブル１２の先端Ａを強制的に延線用ロープ３の動きに追従して移動させることができる。
【００３０】
その際、上記のように保持具４の筒状部材４１と第２の電線・ケーブル１２との間に隙間があるため、このように保持具４により第２の電線・ケーブル１２の先端Ａを延線用ロープ３の動きに追従して移動させる状態になっても、第２の電線・ケーブル１２には少なくともその長手方向には力が加わらない。そのため、接続部１３には負荷が掛らない。
そのため、この構成例１によれば、例えば電線・ケーブル１０をラック１００上で延線する際、延線用ロープ３をラック１００から多少離れた状態で牽引することで、延線用ロープ３に追従して移動する第２の電線・ケーブル１２の先端Ａがラック１００やラック１００上の他の設置物等に引っ掛かったりラック１００の裏面側に潜り込んだりすることなく、電線・ケーブル１０をスムーズに、かつ、接続部１３に負荷を掛けることなく延線することが可能となる。
【００３１】
また、前述したように例えば略水平方向に延在するラック１００から電線・ケーブル１０全体を下方に引き出す場合でも、延線用ロープ３の移動方向がコーナーローラにより下向きに変わる位置で、第２の電線・ケーブル１２の先端Ａも延線用ロープ３の動きに追従して移動方向を下向きに変える。ラック１００が上下や左右に曲がっている場合も同様である。
その際、上記と同様に、第２の電線・ケーブル１２には少なくともその長手方向には力が加わらないため、接続部１３には負荷が掛らない。
そのため、この構成例１によれば、このように電線・ケーブル１０全体をラック１００から引き出したりラック１００が湾曲しているような場合でも、電線・ケーブル１０をスムーズに、かつ、接続部１３に負荷を掛けることなく延線することが可能となる。
【００３２】
［構成例２］
また、上記の延線用治具１において、例えば図３（Ａ）に示すように、保持具４の筒状部材４１を長手方向に長く形成することも可能である。なお、図３（Ａ）以下の各図では、各構成例の延線用治具１が取り付けられた電線・ケーブル１０がラック１００上に配置された状態が示されている。
保持具４の筒状部材４１を長手方向に長く形成する場合、保持具４の筒状部材４１を、複数の固定具４２で、第２の電線・ケーブル１２の先端側を含む複数か所で延線用ロープ３に固定するように構成すれば、筒状部材４１が延線用ロープ３に沿うように配設されるようになり、第２の電線・ケーブル１２の先端Ａがより確実に延線用ロープ３の動きに追従して移動する状態になるため好ましい。
【００３３】
また、この場合、図３（Ａ）に示すように、保持具４の筒状部材４１に蛇腹を設けるなどして、筒状部材４１が可撓性を有するように構成することが望ましい。
保持具４の筒状部材４１が可撓性を有していないと、例えば上記のようにラック１００が湾曲しており、延線用ロープ３も曲がっている所で、保持具４の筒状部材４１が延線用ロープ３に追従して曲がることができなくなるなど、電線・ケーブル１０の延線作業に支障が生じ得るが、保持具４の筒状部材４１が可撓性を有していれば、このような問題を生じることなく、電線・ケーブル１０をスムーズに延線することが可能となる。
【００３４】
なお、図３（Ａ）に示したように保持具４の筒状部材４１を複数の固定具４２で延線用ロープ３に固定するように構成することも可能であるが、図３（Ｂ）に示すように、保持具４の筒状部材４１を例えば第２の電線・ケーブル１２の先端側の１つの固定具４２で延線用ロープ３に固定し、第２の電線・ケーブル１２の他の部分では筒状部材４１に取り付けた単数又は複数の係合部材４３を延線用ロープ３に長手方向に移動可能に係合させるように構成することも可能である。
この場合、係合部材４３は、延線用ロープ３には固定されない。
【００３５】
上記のように延線用ロープ３が曲がり保持具４の筒状部材４１がそれに追従して曲がる場合、保持具４の筒状部材４１が複数の固定具４２で延線用ロープ３に固定されていると、延線用ロープ３や保持具４の筒状部材４１が曲がりにくくなる場合がある。
しかし、上記のように保持具４の筒状部材４１を１つの固定具４２で延線用ロープ３に固定し、他の部分では係合部材４３で延線用ロープ３に移動可能に係合させるように構成すれば、固定具４２で保持具４の筒状部材４１が延線用ロープ３に固定され、他の係合部材４３の部分では筒状部材４１が延線用ロープ３と係合しつつ長手方向に移動できるようになるため、保持具４の筒状部材４１が延線用ロープ３に追従して曲がりやすくなる。
【００３６】
［構成例３］
なお、上記の構成例１、２では、第２の電線・ケーブル１２の先端Ａは、保持具４の筒状部材４１より先で外部に露出されており、先端Ａにキャップ１４が取り付けられている場合について説明した。
しかし、このように構成する代わりに、例えば図４（Ａ）に示すように、筒状部材４１の先端側を半球状に閉塞するように構成して、第２の電線・ケーブル１２の先端Ａを筒状部材４１内に収容するように構成することも可能である。
【００３７】
また、図示を省略するが、例えば筒状部材４１の先端側を半長球状に閉塞するように構成したり、例えば図４（Ｂ）に示すように、保持具４の筒状部材４１の先端側を略錐体状等に閉塞するように構成することも可能である。
なお、半長球状とは、長球体（楕円体）をその長軸方向に２等分した場合の片方の形状をいう。
【００３８】
このように構成すれば、第２の電線・ケーブル１２の先端Ａが筒状部材４１内に収容されて保護されるため、先端Ａにキャップ１４等を取り付けなくてもよくなる。
また、保持具４の筒状部材４１の先端が半球状等に形成されているため、例えば電線・ケーブル１０をラック１００上で延線する際に、第２の電線・ケーブル１２の先端Ａやそれを収容する保持具４の筒状部材４１の先端がラック１００やラック１００上の他の設置物等に引っ掛かることなく、電線・ケーブル１０をスムーズに、かつ、接続部１３に負荷を掛けることなく延線することが可能となる。
【００３９】
［構成例４］
また、図５に示すように、例えば保持具４の筒状部材４１の先端等に固定具４４を取り付ける等して設け、固定具４４で、延線用ロープ３を第２の電線・ケーブル１２の中心に向かう方向に引き寄せて固定するように構成することも可能である。
このように構成すれば、固定具４４で延線用ロープ３を第２の電線・ケーブル１２の中心に向かう方向に引き寄せて、第２の電線・ケーブル１２を収容する保持具４の筒状部材４１の先端を延線用ロープ３に近づけることができる。
【００４０】
よって、保持具４の筒状部材４１の先端が延線用ロープ３と一体的に移動するようになるため、例えば電線・ケーブル１０をラック１００上で延線する際、第２の電線・ケーブル１２の先端Ａやそれを収容する保持具４の筒状部材４１の先端がラック１００やラック１００上の他の設置物等に引っ掛からずに電線・ケーブル１０をスムーズに延線することが可能となる。
なお、この場合、「第２の電線・ケーブル１２の中心」とは、第２の電線・ケーブル１２が１本の電線・ケーブルである場合には、その円形断面の中心をいう。また、複数本の電線・ケーブルを撚り合わせたものである場合にはそれらの外接円の中心をいう。
【００４１】
［構成例５］
一方、上記の構成例１〜４では、保持具４が筒状部材４１を備える場合について説明したが、例えば、図６に示すように、保持具４を、第２の電線・ケーブル１２が挿通される単数又は複数のリング部材４５のみで構成することも可能である。
この場合、各リング部材４５がそれぞれ延線用ロープ３に固定される。また、リング部材４５のリング部分の内径が第２の電線・ケーブル１２の外径よりやや大きい径とされ、第２の電線・ケーブル１２がリング部材４５に対して移動可能に挿通される。
【００４２】
このように、保持具４を単数又は複数のリング部材４５で構成すれば、各リング部材４５により第２の電線・ケーブル１２が延線用ロープ３に沿う状態になり、第２の電線・ケーブル１２の先端Ａが確実に延線用ロープ３の動きに追従して移動する状態になる。
また、例えば上記のようにラック１００が湾曲していても、各リング部材４５により第２の電線・ケーブル１２が延線用ロープ３に沿う状態になっているため、延線用ロープ３が曲がる所で第２の電線・ケーブル１２が延線用ロープ３に追従して確実に曲がる。そのため、電線・ケーブル１０を引っ張ってスムーズに延線することが可能となる。また、筒状部材４１が不要になるため、延線用治具１の保持具４の構成が非常に単純になる。
【００４３】
なお、図示を省略するが、構成例１〜４とこの構成例５とを組み合わせて、例えば、第２の電線・ケーブル１２の先端側を筒状部材４１に挿通し、第２の電線・ケーブル１２の接続部１３に近い側を単数又は複数のリング部材４５に挿通するように延線用治具１の保持具４の部分を構成することも可能である。
このように構成しても、上記の構成例１〜４と同様に、接続部１３を有する電線・ケーブル１０を延線する際に、接続部１３に負荷を掛けることなく、スムーズに延線することが可能となる。
【００４４】
［電線・ケーブルの延線方法］
次に、本実施形態に係る電線・ケーブル１０の延線方法について説明する。
なお、以下では、上記の構成例１（図２等参照）の場合を例示して本実施形態に係る電線・ケーブル１０の延線方法について説明するが、上記の構成例２〜５等の場合でも同様に説明される。
本実施形態に係る電線・ケーブル１０の延線方法は、上記のように、第１の電線・ケーブル１１と第２の電線・ケーブル１２とが接続部１３を介して接続されて形成された電線・ケーブル１０の延線方法である。
【００４５】
そして、図２に示したように、（Ａ）第１の電線・ケーブル１１に中間引き型ケーブルグリップ２を取り付け、（Ｂ）延線用ロープ３（牽引具）に固定された保持具４で、少なくとも第２の電線・ケーブル１２の先端やその近傍の部分を保持する。すなわち、保持具４の筒状部材４１やリング部材４５に第２の電線・ケーブル１２を挿通する。
そして、（Ｃ）延線用ロープ３（牽引具）を、第１の電線・ケーブル１１に取り付けた中間引き型ケーブルグリップにアイ金具５を介して取り付ける。このようにして本実施形態に係る延線用治具１を形成する。
なお、上記の（Ａ）〜（Ｃ）の順番は適宜変更可能である。
【００４６】
そして、延線用ロープ３（牽引具）を牽引して第１の電線・ケーブル１１を手前の第２の電線・ケーブル１２側に引っ張るようにして電線・ケーブル１０を延線する。
このようにして電線・ケーブル１０を延線すれば、上記の本実施形態に係る延線用治具１の効果が効果的に発揮され、接続部１３を有する電線・ケーブル１０を延線する際に、接続部１３に負荷を掛けることなく、スムーズに延線することが可能となる。
【００４７】
［効果］
以上のように、本実施形態に係る延線用治具、電線・ケーブル及び電線・ケーブルの延線方法によれば、第１の電線・ケーブル１１と第２の電線・ケーブル１２とが接続部１３を介して接続されて形成された電線・ケーブル１０を、第１の電線・ケーブル１１を第２の電線・ケーブル１２側に引っ張って延線する際に、第２の電線・ケーブル１２を引っ張ることがないため、接続部１３に負荷を掛けることがない。
また、第２の電線・ケーブル１２やその先端Ａが牽引具（延線用ロープ３）に追従して移動するようになるため、例えば電線・ケーブル１０をラック１００上で延線する際に、第２の電線・ケーブル１２の先端Ａがラック１００やラック１００上の他の設置物等に引っ掛かったりラック１００の裏面側に潜り込んだりすることがなく、電線・ケーブル１０をスムーズに延線することが可能となる。
【００４８】
このように、本実施形態に係る延線用治具、電線・ケーブル及び電線・ケーブルの延線方法によれば、接続部１３を有する電線・ケーブル１０を延線する際に、接続部１３に負荷を掛けることなく、スムーズに延線することが可能となる。
そのため、例えば電線・ケーブル１０全体をラック１００から引き出す場合でも、牽引具（延線用ロープ３）がラック１００の湾曲部分に取り付けられたケーブルローラーに従って向きを変える際に第２の電線・ケーブル１２やその先端Ａがそれに追従してスムーズに向きを変える。また、ラック１００が曲がっていて、それに沿って延線する場合も、牽引具（延線用ロープ３）に追従して第２の電線・ケーブル１２やその先端Ａがスムーズに向きを変える。そのため、そのような場合でも、接続部１３に負荷を掛けることなく、電線・ケーブル１０をスムーズに延線することが可能となる。
【００４９】
なお、本発明が上記の実施形態等に限定されず、本発明の趣旨を逸脱しない限り、適宜変更可能であることは言うまでもない。
例えば、上記の実施形態では、電線・ケーブル１０の接続部１３で分岐がない場合について説明したが、電線・ケーブル１０の接続部１３で分岐がある場合（すなわち接続部１３から分岐線が出ている場合）についても本発明を適用することができる。
【００５０】
すなわち、図示を省略するが、このような場合、分岐線を第２の電線・ケーブル１２に巻き付けておき、それらを延線用治具１の保持具４の筒状部材４１やリング部材４５に挿通するように構成することが可能である。また、第２の電線・ケーブル１２を延線用治具１の保持具４の筒状部材４１やリング部材４５に挿通し、第２の電線・ケーブル１２や延線用治具１の外側に分岐線を巻き付けるように構成することも可能である。
このように構成すれば、電線・ケーブル１０を延線する際に分岐線が第２の電線・ケーブル１２とともに移動するようになるため、例えば電線・ケーブル１０をラック１００上で延線する際に、分岐線がラック１００やラック１００上の他の設置物等に引っ掛かったりラック１００の裏面側に潜り込んだりすることがなく、電線・ケーブル１０をスムーズに延線することが可能となる。
【符号の説明】
【００５１】
１  延線用治具
２  中間引き型ケーブルグリップ
３  延線用ロープ（牽引具）
４  保持具
１０  電線・ケーブル
１１  第１の電線・ケーブル
１２  第２の電線・ケーブル
１３  接続部
４１  筒状部材
４４  固定具
４５  リング部材
Ａ  第２の電線・ケーブルの先端
【図１】
2020188621.tif 000003
【図２】
2020188621.tif 000004
【図３】
2020188621.tif 000005
【図４】
2020188621.tif 000006
【図５】
2020188621.tif 000007
【図６】
2020188621.tif 000008
【図７】
2020188621.tif 000009
【図８】
2020188621.tif 000010
【図９】
2020188621.tif 000011
【図１０】
2020188621.tif 000012
【手続補正書】
【提出日】令和2年3月6日(2020.3.6)
【手続補正１】
【補正対象書類名】明細書
【補正対象項目名】００１０
【補正方法】変更
【補正の内容】
【００１０】
前記の問題を解決するために、請求項１に記載の発明は、
接続部を介して第２の電線・ケーブルと接続されている第１の電線・ケーブルを前記第２の電線・ケーブル側に引っ張って延線する際に用いられる延線用治具において、
前記第１の電線・ケーブルに取り付けられる中間引き型ケーブルグリップと、
前記中間引き型ケーブルグリップに取り付けられ、前記第２の電線・ケーブル側に延びるように配置された牽引具と、
前記牽引具に固定され、少なくとも前記第２の電線・ケーブルの先端又は先端の近傍の部分を、当該先端又は当該部分との間に隙間ができる状態で保持する保持具と、
を備えることを特徴とする。
【手続補正２】
【補正対象書類名】明細書
【補正対象項目名】００１１
【補正方法】変更
【補正の内容】
【００１１】
請求項２に記載の発明は、
接続部を介して第２の電線・ケーブルと接続されている第１の電線・ケーブルを前記第２の電線・ケーブル側に引っ張って延線する際に用いられる延線用治具において、
前記第１の電線・ケーブルに取り付けられる中間引き型ケーブルグリップと、
前記中間引き型ケーブルグリップに取り付けられ、前記第２の電線・ケーブル側に延びるように配置された、延線用ロープである牽引具と、
前記牽引具に固定され、少なくとも前記第２の電線・ケーブルの先端又は先端の近傍の部分を、当該先端又は当該部分との間に隙間ができる状態で保持する保持具と、
を備えることを特徴とする。
【手続補正３】
【補正対象書類名】明細書
【補正対象項目名】００１８
【補正方法】変更
【補正の内容】
【００１８】
請求項９に記載の発明は、
第１の電線・ケーブルと第２の電線・ケーブルとが接続部を介して接続されて形成された電線・ケーブルの延線方法において、
前記第１の電線・ケーブルに中間引き型ケーブルグリップを取り付け、
牽引具に固定された保持具で、少なくとも前記第２の電線・ケーブルの先端又は先端の近傍の部分を、当該先端又は当該部分との間に隙間ができる状態で保持し、
前記牽引具を前記中間引き型ケーブルグリップに取り付けて延線用治具を形成し、
前記牽引具を牽引して前記第１の電線・ケーブルを前記第２の電線・ケーブル側に引っ張ることで前記電線・ケーブルを延線する
ことを特徴とする。
請求項１０に記載の発明は、
第１の電線・ケーブルと第２の電線・ケーブルとが接続部を介して接続されて形成された電線・ケーブルの延線方法において、
前記第１の電線・ケーブルに中間引き型ケーブルグリップを取り付け、
延線用ロープである牽引具に固定された保持具で、少なくとも前記第２の電線・ケーブルの先端又は先端の近傍の部分を、当該先端又は当該部分との間に隙間ができる状態で保持し、
前記牽引具を前記中間引き型ケーブルグリップに取り付けて延線用治具を形成し、
前記牽引具を牽引して前記第１の電線・ケーブルを前記第２の電線・ケーブル側に引っ張ることで前記電線・ケーブルを延線する
ことを特徴とする電線・ケーブルの延線方法。
【手続補正４】
【補正対象書類名】特許請求の範囲
【補正対象項目名】全文
【補正方法】変更
【補正の内容】
【特許請求の範囲】
【請求項１】
接続部を介して第２の電線・ケーブルと接続されている第１の電線・ケーブルを前記第２の電線・ケーブル側に引っ張って延線する際に用いられる延線用治具において、
前記第１の電線・ケーブルに取り付けられる中間引き型ケーブルグリップと、
前記中間引き型ケーブルグリップに取り付けられ、前記第２の電線・ケーブル側に延びるように配置された牽引具と、
前記牽引具に固定され、少なくとも前記第２の電線・ケーブルの先端又は先端の近傍の部分を、当該先端又は当該部分との間に隙間ができる状態で保持する保持具と、
を備えることを特徴とする延線用治具。
【請求項２】
接続部を介して第２の電線・ケーブルと接続されている第１の電線・ケーブルを前記第２の電線・ケーブル側に引っ張って延線する際に用いられる延線用治具において、
前記第１の電線・ケーブルに取り付けられる中間引き型ケーブルグリップと、
前記中間引き型ケーブルグリップに取り付けられ、前記第２の電線・ケーブル側に延びるように配置された、延線用ロープである牽引具と、
前記牽引具に固定され、少なくとも前記第２の電線・ケーブルの先端又は先端の近傍の部分を、当該先端又は当該部分との間に隙間ができる状態で保持する保持具と、
を備えることを特徴とする延線用治具。
【請求項３】
前記保持具は、前記第２の電線・ケーブルが挿通される筒状部材を有しており、
前記筒状部材が、少なくとも前記第２の電線・ケーブルの先端側の１か所で前記牽引具に固定されており、かつ、前記牽引具に沿うように配設されていることを特徴とする請求項１又は請求項２に記載の延線用治具。
【請求項４】
前記筒状部材は、可撓性を有していることを特徴とする請求項３に記載の延線用治具。
【請求項５】
前記筒状部材は、先端側が半球状、半長球状又は略錐体状に閉塞されており、
前記第２の電線・ケーブルの先端が前記筒状部材内に収容されることを特徴とする請求項３又は請求項４に記載の延線用治具。
【請求項６】
前記筒状部材に、前記牽引具を前記第２の電線・ケーブルの中心に向かう方向に引き寄せて固定する固定具が設けられていることを特徴とする請求項３から請求項５のいずれか一項に記載の延線用治具。
【請求項７】
前記保持具は、前記第２の電線・ケーブルが挿通される単数又は複数のリング部材で構成されていることを特徴とする請求項１から請求項６のいずれか一項に記載の延線用治具。
【請求項８】
請求項１から請求項７のいずれか一項に記載された延線用治具が取り付けられた電線・ケーブル。
【請求項９】
第１の電線・ケーブルと第２の電線・ケーブルとが接続部を介して接続されて形成された電線・ケーブルの延線方法において、
前記第１の電線・ケーブルに中間引き型ケーブルグリップを取り付け、
牽引具に固定された保持具で、少なくとも前記第２の電線・ケーブルの先端又は先端の近傍の部分を、当該先端又は当該部分との間に隙間ができる状態で保持し、
前記牽引具を前記中間引き型ケーブルグリップに取り付けて延線用治具を形成し、
前記牽引具を牽引して前記第１の電線・ケーブルを前記第２の電線・ケーブル側に引っ張ることで前記電線・ケーブルを延線する
ことを特徴とする電線・ケーブルの延線方法。
【請求項１０】
第１の電線・ケーブルと第２の電線・ケーブルとが接続部を介して接続されて形成された電線・ケーブルの延線方法において、
前記第１の電線・ケーブルに中間引き型ケーブルグリップを取り付け、
延線用ロープである牽引具に固定された保持具で、少なくとも前記第２の電線・ケーブルの先端又は先端の近傍の部分を、当該先端又は当該部分との間に隙間ができる状態で保持し、
前記牽引具を前記中間引き型ケーブルグリップに取り付けて延線用治具を形成し、
前記牽引具を牽引して前記第１の電線・ケーブルを前記第２の電線・ケーブル側に引っ張ることで前記電線・ケーブルを延線する
ことを特徴とする電線・ケーブルの延線方法。